(57)【要約】【課題】空気調和機の気流を制御する、左右羽根ブロックを誤って前方方向に引っ張ると、上下羽根の軸受部より左右羽根ブロックが外れ、送風ファンに指が届く可能性があり危険である。【解決手段】空気調和機の気流を制御する、複数の左右羽根１３を左右方向に揺動可能に連結支持すると共に所定部位に第一の軸部１１を有する支持桟１０と、上下羽根８から延出して設けられ支持桟１０の第一の軸部１１を回動可能に支持する支持穴９ａを有する軸受部９を具備し、軸受部９を挟持するように第一の軸部１１と平行に支持桟１０に第二の軸部１２を設け、軸受部背面と第２の軸部を干渉させることにより、左右羽根ブロックの抜け防止を図る。【選択図】図４
2006275391.tif 000002
【特許請求の範囲】
【請求項１】
吹出口に設けられた風向きを上下に変更する上下羽根と、風向きを左右に変更する複数の左右羽根と、前記複数の左右羽根を左右方向に揺動可能に連結支持すると共に所定部位に第一の軸部を有する支持桟と、前記上下羽根から延出して設けられ前記支持桟の前記第一の軸部を回動可能に支持する支持穴を有する軸受部を具備し、前記支持桟に前記第一の軸部と平行に第二の軸部を設け、前記第一の軸部と前記第二の軸部で前記軸受部を挟持するようにしたことを特徴とする空気調和機の風向変更装置。
【請求項２】
支持桟に、第一の軸部と平行に複数の第二の軸部を設けたことを特徴とする請求項１に記載の空気調和機の風向変更装置。
【請求項３】
軸受部の縁面には、前記軸受部の外方に向け突出する突起部を具備したことを特徴とする請求項１または２に記載の空気調和機の風向変更装置。
【発明の詳細な説明】
【技術分野】
【０００１】
本発明は、気流制御を行う上下、左右羽根を連結取り付けした空気調和機の風向変更装置に関するものである。
【背景技術】
【０００２】
従来、この種の空気調和機の風向変更装置は、上下羽根の一部又は複数部に設けた軸受部と、左右羽根を固定する支持桟の一部又は複数部に軸を設け、両者を嵌合固定させた構成としていた。（例えば特許文献１参照）。
【０００３】
図７は、特許文献１に記載された従来の空気調和機の風向変更装置を示すものである。図７に示すように、上下羽根８から延出して設けられた軸受部９と、複数の左右羽根１３を左右方向に揺動可能に連結支持する支持桟１０との係合状態を示すものである。上下羽根８の軸受部９に具備した支持穴９ｂに、複数の左右羽根１３の支持桟１０に具備した軸部１１を嵌合させることで、上下羽根８の上下方向の回動に連動して、左右羽根１３は吹出口に沿って略平行に送風方向の上流側または下流側に移動し、空気調和機の気流を制御する風向変更装置を構成していた。
【特許文献１】特開２００２−２９５８８９号公報
【発明の開示】
【発明が解決しようとする課題】
【０００４】
しかしながら、前記従来の構成では、上下羽根の軸受部の支持穴に、前方方向より、左右羽根を連結支持する支持桟の軸部を挿入固定しているだけのため、前方から左右羽根等を引っ張ると、支持桟の軸部が上下羽根に具備した軸受部より簡単に外れることにより、空気調和機内部に具備した送風ファンに簡単に指が届くため、安全上の課題を有していた。
【０００５】
本発明は前記従来の課題を解決するもので、左右羽根、支持桟等から構成される左右羽根ブロックの、吹出しグリル前方への抜け防止を図り、安全な空気調和機の風向変更装置を提供することを目的とする。
【課題を解決するための手段】
【０００６】
前記従来の課題を解決するために、本発明の空気調和機の風向変更装置は、上下羽根の軸受部に固定する左右羽根の支持桟に第一の軸部と平行で軸受部を挟持するように第二の軸部を具備したものである。
【０００７】
これによって、左右羽根、支持桟等から構成される左右羽根ブロックを吹出口前方から引っ張っても第二の軸部が軸受部に当たるため、第一の軸部は軸受部の支持穴から簡単には外れず、左右羽根ブロックの吹出しグリル前方への抜け防止を図り、安全な空気調和機の風向変更装置を提供できる。
【発明の効果】
【０００８】
本発明の空気調和機の風向変更装置は、前方から左右羽根ブロックを引っ張っても簡単には外れず、吹出しグリル前方への抜け防止を図り、送風ファンに指が届かない安全な空気調和機の風向変更装置を提供できる。
【発明を実施するための最良の形態】
【０００９】
第１の発明は上下羽根の軸受部に回動可能に支持される複数の左右羽根の支持桟に、第
一の軸部と平行に第二の軸部を設け、第一の軸部と第二の軸部で軸受部を挟持するようにした構造にすることにより、左右羽根ブロックを吹出口前方方向に引っ張っても、第二の軸部が上下羽根の軸受部に当たるため、第一の軸部は軸受部の支持穴から簡単には外れず、左右羽根ブロックの吹出しグリル前方への抜け防止をすることができる。
【００１０】
第２の発明は、特に、第１の発明の、支持桟に第一の軸部と平行に複数の第二の軸部を設けることにより、左右羽根ブロックをどの場所から引っ張られても、さらに抜け防止を確実にすることができる。
【００１１】
第３の発明は、特に、第１または第２の発明の上下羽根軸受部の縁面には、軸受部の外方に向け突出する突起部を具備し、左右羽根ブロックを吹出口前方方向に引っ張っても、支持桟に具備した第二の軸部が、左右羽根軸受部下方向に滑らない事により、左右羽根ブロックの抜け防止をすることができる。
【００１２】
以下、本発明の実施の形態について、図面を参照しながら説明する。尚、この実施の形態によって本発明が限定されるものではない。
【００１３】
（実施の形態１）
図１は本発明の第１の実施の形態における空気調和機の正面図、図２は本発明の第１の実施の形態における空気調和機の内部構造図、図３は本発明の第１の実施の形態における支持桟の平面図と要部拡大図、図４は本発明の第１の実施の形態における空気調和機の風向変更装置の断面図と要部拡大図である。
【００１４】
図１、図２、図３及び図４において、吸入グリル１、前面枠２、吹出しグリル３、台枠５からなる室内機は、吸込んだ室内空気を熱交換器６で熱交換し、送風ファン７によって吹出口から室内に送風する。
【００１５】
吹出しグリル３の風向変更装置は上下羽根８、上下羽根８から延出して設けられた軸受部９、複数の左右羽根からなる左右羽根ブロック４（部品番号１０〜１４）で構成される。
【００１６】
複数の左右羽根は、羽根軸（図示せず）を支持桟１０で左右方向に揺動可能に連結支持され、更に連結桟１４で同じ向きに回動するよう連結されているので、どれか一枚の左右羽根を変更させれば、全左右羽根の方向変更が可能となる構造となっている。更に左右羽根ブロック４は、全体を左右２つに分割され、右の左右羽根ブロック４ａと左の左右羽根ブロック４ｂをそれぞれブロック毎に左右に動かすことができる。
【００１７】
複数の左右羽根を左右方向に揺動可能に連結支持する支持桟１０は所定部位に第一の軸部１１を有し、上下羽根８から延出して設けられた軸受部９の支持穴９ａに嵌合することで、左右羽根ブロック４は上下羽根８の上下方向の回動に連動して、吹出口に沿って略平行に送風方向の上流側または下流側に移動し、空気調和機の気流を左右方向に制御し、上下羽根８は上下方向に制御する。
【００１８】
また、支持桟１０は、第一の軸部１１と平行に第二の軸部１２を有し、第一の軸部１１と平行に第二の軸部１２で軸受部９を挟持するように構成されている。
【００１９】
以上のように、本実施の形態においては複数の左右羽根を左右方向に揺動可能に連結支持する支持桟１０に、上下羽根８から延出して設けられた軸受部９を挟持するように第一の軸部１１と平行に第二の軸部１２を具備することによって、第二の軸部１２が上下羽根８の軸受部９に当たるため、第一の軸部１１は軸受部９の支持穴９ａから簡単には外れず
、左右羽根ブロック４の吹出しグリル３前方への抜け防止をすることができ、送風ファンに指が届かない安全な空気調和機の風向変更装置を提供できる。
【００２０】
また、図５の本発明の第１の実施の形態における支持桟の平面図と要部拡大図に示すように、第二の軸部１２を上下羽根の軸受部に対応して複数個設けてもよい。これにより、第一の軸部１１は軸受部９の支持穴９ａからより外れにくくなり、左右羽根ブロックがどの場所から引っ張られても、さらに抜け防止を確実にすることができ、送風ファンに指が届かない安全な空気調和機の風向変更装置を提供できる。
【００２１】
また、図６の本発明の第１の実施の形態における空気調和機の風向変更装置の断面図と要部拡大図に示すように、上下羽根８の軸受部９の第二の軸部１２下側に突起部９ｂを設けることにより、左右羽根ブロック４ａ又は４ｂを前面方向に引っ張った時、支持桟１０が軸受部９の背面斜面に沿って滑り落ちない様にして、さらに確実に、左右羽根ブロック４ａ又は４ｂが上下羽根８の軸受部９の支持穴９ａより外れることが無く、抜け防止をすることができ、送風ファンに指が届かない安全な空気調和機の風向変更装置を提供できる。
【産業上の利用可能性】
【００２２】
以上のように、本発明にかかる空気調和機の風向変更装置は、誤って羽根ブロックを引っ張られても簡単には外れず、安全な風向変更装置を提供できるので、ファンヒーターや除湿機、空気清浄機等の用途にも適用できる。
【図面の簡単な説明】
【００２３】
【図１】本発明の実施の形態１における空気調和機の正面図
【図２】本発明の実施の形態１における空気調和機の内部構造図
【図３】本発明の実施の形態１における支持桟の平面図と要部拡大図
【図４】本発明の実施の形態１における空気調和機の風向変更装置の断面図と要部拡大図
【図５】本発明の実施の形態１における支持桟の平面図と要部拡大図
【図６】本発明の実施の形態１における空気調和機の風向変更装置の断面図と要部拡大図
【図７】従来の空気調和機の風向変更装置を示す図
【符号の説明】
【００２４】
１  吸入グリル
２  前面枠
３  吹出しグリル
４  左右羽根ブロック
４ａ  右の左右羽根ブロック
４ｂ  左の左右羽根ブロック
７  送風ファン
８  上下羽根
９  軸受部
９ａ  支持穴
９ｂ  突起部
１０  支持桟
１１  第一の軸部
１２  第二の軸部
１３  左右羽根
１４  連結桟
【図１】
2006275391.tif 000003
【図２】
2006275391.tif 000004
【図３】
2006275391.tif 000005
【図４】
2006275391.tif 000006
【図５】
2006275391.tif 000007
【図６】
2006275391.tif 000008
【図７】
2006275391.tif 000009